(57)【特許請求の範囲】
【請求項１】
装置本体に開設された挿入部からカートリッジを挿入して装着した状態で、該カートリッジに接して当該カートリッジ内の蒸散剤を加熱し蒸散させる加熱部が設けられた蒸散装置において、
前記装置本体を使用状態に配置した状態で、前記挿入部が横方向へ向けて開口した横向き開口状態から下方向へ向けて開口した下向き開口状態までの範囲内に前記挿入部の開口方向を設定した蒸散装置であって、
前記装置本体より延出したコンセントプラグを壁面に設けられたコンセントに差し込んだ際に給電を受けて作動するコンセント給電タイプであり、
前記コンセントプラグを壁面の前記コンセントに差し込んで使用する使用状態において、前記挿入部が横方向へ向けて開口するように当該挿入部の開口方向を設定するとともに、前記カートリッジから蒸散した蒸散剤を放出する放出部を前記装置本体の前面のみに開口する一方、
該前面の外周部を当該前面より前方へ突出して当該外周部より後退した平面状の前記前面に前記放出部を配置し、
該放出部を、当該放出部より下側に位置する前記外周部の部位から上方へ離れた位置に設定したことを特徴とする蒸散装置。
【発明の詳細な説明】
【技術分野】
【０００１】
本発明は、芳香剤等の蒸散剤を蒸散する蒸散装置に関する。
【背景技術】
【０００２】
従来、芳香剤を蒸散させる装置としては、蒸散装置としての芳香器が知られている（例えば、特許文献１）。
【０００３】
この芳香器の装置本体には、上面に挿入口が設けられており、この装置本体のケーシングには、内部を左右に分割する仕切壁が設けられている。該仕切壁は、電熱ヒータ板を備えており、該電熱ヒータ板は、コンセントプラグから供給される電源によって加熱されるように構成されている。
【０００４】
この仕切壁の両側部には、カートリッジが装着される装着部が設けられており、装着されたカートリッジは、トレイ底面が前記仕切板に接するように構成されている。
【０００５】
これにより、前記カートリッジは、その底面から前記電熱ヒータ板からの熱を受け、収容された芳香液を加熱することで、加熱された芳香液をトレイを閉鎖する蒸散面から蒸散できるように構成されている。
【０００６】
このとき、前記仕切壁の両脇に形成された各装着部に異なる芳香液を収容したカートリッジを装着することで、異なる二種類の香りの芳香液を蒸散できるように構成されている。
【特許文献１】特開２００３−３０５１１３号公報
【発明の開示】
【発明が解決しようとする課題】
【０００７】
しかしながら、このような従来の芳香器にあっては、カートリッジを装着する為の挿入口が装置本体の上面に開口しているため、この挿入口から埃が入りやすかった。
【０００８】
この埃がヒータに付着すると、熱の伝達効率の低下に伴う蒸散効率の低下が懸念される。
【０００９】
本発明は、このような従来の課題に鑑みてなされたものであり、埃の進入に起因した蒸散効率の低下を防止することができる蒸散装置を提供することを目的とするものである。
【課題を解決するための手段】
【００１３】
前記課題を解決するために本発明の蒸散装置にあっては、装置本体に開設された挿入部からカートリッジを挿入して装着した状態で、該カートリッジに接して当該カートリッジ内の蒸散剤を加熱し蒸散させる加熱部が設けられた蒸散装置において、前記装置本体を使用状態に配置した状態で、前記挿入部が横方向へ向けて開口した横向き開口状態から下方向へ向けて開口した下向き開口状態までの範囲内に前記挿入部の開口方向を設定した蒸散装置であって、前記装置本体より延出したコンセントプラグを壁面に設けられたコンセントに差し込んだ際に給電を受けて作動するコンセント給電タイプであり、前記コンセントプラグを壁面の前記コンセントに差し込んで使用する使用状態において、前記挿入部が横方向へ向けて開口するように当該挿入部の開口方向を設定するとともに、前記カートリッジから蒸散した蒸散剤を放出する放出部を前記装置本体の前面のみに開口する一方、該前面の外周部を当該前面より前方へ突出して当該外周部より後退した平面状の前記前面に前記放出部を配置し、該放出部を、当該放出部より下側に位置する前記外周部の部位から上方へ離れた位置に設定した。
【００１４】
すなわち、装置本体に開設されたカートリッジ挿入用の挿入部の開口方向は、横方向へ向いた横向き開口状態から下方向へ向いた下向き開口状態までの範囲内に設定されている。
【００１５】
このため、舞い上がって落ちてきた埃は、装置本体の上面に蓄積され、前記挿入部からの内部への進入が防止される。
【００１７】
また、蒸散剤を放出する放出部からの埃の進入も防止される。
【００１９】
さらに、この蒸散装置は、コンセントから給電を受けて作動するコンセント給電タイプであり、使用時には、前記装置本体から延出したコンセントプラグが壁面に設けられたコンセントに差し込まれる。
【００２０】
このため、使用状態では、前記装置本体が壁面に沿って配置される。また、前記コンセントプラグを壁面のコンセントに差し込んだ使用状態では、前記挿入口の開口方向が前記コンセントプラグに基づいて定められる。
【００２２】
また、この蒸散装置では、前記コンセントプラグを壁面の前記コンセントに差し込んで使用する使用状態において、前記挿入部が横方向へ向けて開口する。
【００２３】
このため、前記挿入部が下方へ向けて開口する場合と比較して、前記挿入部に挿入された前記カートリッジの落下を防止する構造を設けること無く、当該カートリッジの不用意な離脱が防止される。
【発明の効果】
【００２７】
本発明の蒸散装置にあっては、装置本体に開設されたカートリッジ挿入用の挿入部の開口方向が横方向へ向いた横向き開口状態から下方向へ向いた下向き開口状態までの範囲内に設定されており、舞い上がって落ちてきた埃は、装置本体の上面に蓄積される。
【００２８】
このため、カートリッジ挿入用の挿入部が上方へ向けて開口する構造上、舞い上がって落ちてきた埃が挿入部からの進入し、加熱部に蓄積するといった不具合を解消することができ、前記加熱部による前記カートリッジの加熱効率の低下を防止することができる。
【００２９】
これにより、埃の進入に起因した蒸散効率の低下を防止することができる。
【００３０】
さらに、前記カートリッジから蒸散した蒸散剤を放出する放出部を装置本体の前面に設けることによって、前記放出部から進入した埃に起因した不具合も防止することができる。
【００３１】
また、コンセントから給電を受けて作動するコンセント給電タイプであり、使用時には、前記装置本体から延出したコンセントプラグが壁面に設けられたコンセントに差し込まれる。
【００３２】
このため、使用状態では、前記装置本体を壁面に沿って配置することができ、テーブル等に載置する据え置きタイプと比較して、テーブル等への設置スペースが不要となる。
【００３３】
そして、前記コンセントプラグを壁面のコンセントに差し込んだ状態では、前記挿入口の開口方向を前記コンセントプラグに基づいて定めることができる。
【００３４】
このため、前記コンセントプラグを前記壁面のコンセントに差し込むだけで、前記挿入口の開口方向を設計時の方向へ向けることができ、上方へ向けた開口を確実に防止することができる。
【００３５】
さらに、前記コンセントプラグを壁面の前記コンセントに差し込んで使用する使用状態において、前記挿入部を横方向へ向けて開口させることができる。
【００３６】
このため、前記挿入部が下方へ向けて開口する場合と比較して、前記挿入部に挿入された前記カートリッジの落下防止構造を特別に設けること無く、当該カートリッジの不用意な離脱を防止することができる。
【発明を実施するための最良の形態】
【００３７】
以下、本発明の一実施の形態を図に従って説明する。図１は、本実施の形態にかかる蒸散装置１を示す図であり、該蒸散装置１は、消臭剤、芳香剤、防虫剤、殺虫剤等の蒸散剤を蒸散する装置である。この蒸散剤としては、ゲル状の薬剤や液状の薬剤が挙げられるが、本実施の形態では、液状の薬剤が用いられている。
【００３８】
この蒸散装置１は、図１及び図２に示すように、装置本体１１と、該装置本体１１に交換可能に装着されるカートリッジ１２とよって構成されている。
【００３９】
該カートリッジ１２は、図３にも示すように、樹脂製のトレイ２１と、該トレイ２１の開口部を閉鎖する蒸散面２２とからなり、該蒸散面２２は、液状の蒸散剤は通さず、蒸散され気化された蒸散剤は透過する透明乃至半透明のガス透過性フィルムで構成されている。
【００４０】
前記トレイ２１は、図４及び図５にも示すように、横長形状に形成されており、図４及び図５中、左寄りの部分に底面３１側へ突出した第一収容部３２と第二収容部３３とが膨出形成されている。前記第一収容部３２は、当該トレイ２１の図５中左方である先端側に配置されており、前記第二収容部３３は、図５中右方である基端側に配置されている。これにより、前記両収容部３２，３３は、前記トレイ２１の底面３１に沿って並設されるとともに、横並びに配列されている。
【００４１】
前記第一収容部３２は、図３及び図４に示したように、半円形状に形成されており、前記第二収容部３３も半円形状に形成されている。両収容部３２，３３は、弦を構成する辺が対向して配設されており、前記第一収容部３２は前記第二収容部３３と共に円形を成すように配置されている。
【００４２】
前記第一収容部３２と前記第二収容部３３との間には、両者を区画する区画部４１が上下に方向に延在しており、前記蒸散面２２を構成するガス透過性フィルムは、図４及び図５に示したように、前記各収容部３２，３３の外周部及び前記区画部４１に接着されている。これにより、隣接した前記両収容部３２，３３は、互いに区画されており、各収容部３２，３３には、異なる色彩の異なる蒸散剤が収容されている。
【００４３】
前記各収容部３２，３３の底面３１には、図４に示したように、半径方向に延在する線状凹部５１，・・・と、同心円上に延在する円弧状凹部５２，・・・とが形成されており、当該底面３１には、凹凸が形成されている。この凹凸によって、各収容部３２，３３は、補強されている。
【００４４】
前記トレイ２１の一般部６１は、前記両収容部３２，３３から図４中右方である基端側へ延出するように、その長さ寸法が設定されており、この基端側に延出した一般部６１によって着脱時に操作される舌片６２が構成されている。そして、この舌片６２の中央部には、図３から図５に示すように、底面側へ膨出形成された突起６３が形成されている。
【００４５】
前記装置本体１１は、図２に示したように、前面を形成する前ケース７１と、裏面を形成する裏ケース７２と、前記前ケース７１及び裏ケース７２内に収容される中ケース７３とによって構成されている。
【００４６】
前記前ケース７１は、円形リング状に形成されており、その横断面形状は、図６及び図７に示すように、前方に突出した円弧状に形成されている。この前ケース７１の裏面には、図６に示したように、後方に延出した円筒部７５，７５が突設されており、各円筒部７５，７５は、リブ７４，・・・によって側方から支持されている。
【００４７】
前記裏ケース７２は、図２に示したように、円形容器状の容器部８１を中心に構成されており、該容器部８１の外周部には、図６及び図７に示したように、横断面円弧状のリング部８２が形成されている。このリング部８２は、前記前ケース７１に対応した形状に形成されており、図６及び図８に示すように、図６中、右側の部位に後ケース切欠部８３が形成されている。このリング部８２には、図６に示したように、ネジ挿入部８４が凹設されており、該ネジ挿入部８４の底面には、タッピンねじ８５が挿入される挿通穴８６が開設されている。
【００４８】
このリング部８２の外周縁には、図７に示したように、前方へ延出した凸条９１が形成されており、該凸条９１に対向する前記前ケース７１の周縁には、前記凸条９１が挿入される凹溝９２が形成されている。これにより、前記凸条９１を前記凹溝９２に嵌着した状態で、前記裏ケース７２を前記前ケース７１に連結するとともに、図６に示したように、前記挿通穴８６に挿入した前記タッピンねじ８５を前記前ケース７１の円筒部７５に螺入することで、前記裏ケース７２を前記前ケース７１に固定できるように構成されている。
【００４９】
前記容器部８１には、図６から図８に示したように、電子基板１０１が設けられており、該電子基板１０１からは、コンセントプラグ１０２，１０２が延出している。このコンセントプラグ１０２，１０２は、前記容器部８１を挿通して裏側へ延出しており、部屋の壁面Ｗに設けられたコンセントに差し込むことで、商用電源の供給を受けて作動するように構成されている。
【００５０】
つまり、この蒸散装置１は、前記コンセントプラグ１０２，１０２を介して壁面Ｗのコンセントから給電を受けて作動するコンセント給電タイプを構成している。
【００５１】
前記電子基板１０１には、電子回路が形成されており、当該電子基板１０１の前記中ケース７３側の面には、発熱体としてのヒータ１１１が設けられている。該ヒータ１１１には、図８に示したように、加熱源としての加熱板１１２が面接した状態で固定されており、該加熱板１１２は、前記ヒータ１１１からの熱で加熱され、その熱を全面に伝導するように構成されている。
【００５２】
この加熱板１１２は、前記電子基板１０１の一端側に設けられており、図７及び図８に示したように、前記コンセントプラグ１０２，１０２を壁面Ｗのコンセントに差し込んだ使用状態Ｕにおいて、下側に位置するように構成されている。
【００５３】
前記中ケース７３は、図１及び図２に示したように、円板状の前面部１２１と、該前面部１２１の周縁より後方へ延出した周面部１２２と、該周面部１２２の後端に設けられた後面部１２３とによって一体形成されており、該後面部１２３は、前記前面部１２１に対向して設けられている。
【００５４】
前記周面部１２２には、図２中、右方に周面切欠部１３１が設けられており、当該中ケース７３は、横方向Ｓへ向けて開口している。前記周面切欠部１３１は、図２及び図６並びに図９に示すように、前記裏ケース７２の前記リング部８２に設けられた前記後ケース切欠部８３に対応した部位に設けられており、この装置本体１１の前記コンセントプラグ１０２，１０２を起立した壁面Ｗのコンセントに差し込んだ使用状態Ｕに配置した状態で、当該装置本体１１には、前記中ケース７３に設けられた前記周面切欠部１３１と、前記後ケース７２に設けられた前記後ケース切欠部８３とによって、前記中ケース７３内に前記カートリッジ１２を挿入する挿入部１３２が右方へ向けて開口している。
【００５５】
これにより、前記装置本体１１の前記コンセントプラグ１０２，１０２を起立した壁面Ｗのコンセントに差し込んだ使用状態Ｕに配置において、図１に示したように、前記挿入部１３２が横方向Ｓへ向けて開口した横向き開口状態から下方向Ｌへ向けて開口した下向き開口状態までの範囲内に前記挿入部１３２の開口方向が設定されており、本実施の形態では、図２及び図６並びに図９に示したように、前記挿入部１３２が真横へ向けて開口するように当該挿入部１３２の開口方向が設定されている。
【００５６】
また、本実施の形態では、前記装置本体１１を前記使用状態Ｕに配置した状態において、図１及び図１０に示すように、前記挿入部１３２の開口領域５０１が前記ヒータ１１１の真上に位置するヒータ真上領域５０２に重ならないように前記挿入部１３２の開口方向が前記横方向Ｓに設定されている。
【００５７】
ここで、本実施の形態では、前記挿入部１３２の開口方向を、前記使用状態Ｕにおいて、図中右方へ向けて設定した場合に付いて説明するが、これに限定されるものではなく、図中左方へ向けて設定してもよい。
【００５８】
さらには、前記使用状態Ｕにおいて、前記挿入部１３２の開口領域５０１が前記ヒータ１１１の真上に位置するヒータ真上領域５０２に重ならないように、図１０に示したように、前記ヒータ真上領域５０２を除いた真上除外領域５０５に設定することができる。
【００５９】
また、前記挿入部１３２の開口方向は、真横のみならず、図中右方から真下までの範囲内に設定したり、図中左方から真下までの範囲内に設定しても良い。
【００６０】
そして、前記中ケース７３には、前記挿入部１３２を介して前記カートリッジ１２を交換可能に装着する装着部１３３が、前記前面部１２１と前記後面部１２３との間に形成されている。
【００６１】
前記周面部１２２の上部と前記前面部１２１とが接続された上側の接続部分には、図７に示したように、装着されたカートリッジ１２の上縁１２ａが挿入される上部挿入溝１４１が横方向に延設されており、前記周面部１２２の下部と前記前面部１２１とが接続された下側の接続部分には、装着されたカートリッジ１２の下縁１２ｂが挿入される下部挿入溝１４２が横方向に延設されている。
【００６２】
これにより、前記カートリッジ１２の上縁１２ａ及び下縁１２ｂを、対応する挿入溝１４１，１４２へ側方から挿入できるように構成されており、前記カートリッジ１２の上縁１２ａ及び下縁１２ｂを前記各挿入溝１４１，１４２に挿入して挟持することで、当該カートリッジ１２の前記トレイ２１の底面３１を起立した状態で保持できるように構成されている。
【００６３】
また、この起立状態において、当該カートリッジ１２の前記蒸散面２２を前記前面部１２１に面接できるように構成されており、前記上部及び下部挿入溝１４１，１４２によって前記カートリッジ１２が装着できる方向を規制し、前記蒸散面２２を前記後面部１２３側である後方へ向けて装着できないように構成されている。
【００６４】
さらに、前記上部挿入溝１４１から前記下部挿入溝１４２までの寸法は、前記カートリッジ１２の短辺方向での長さに基づいて設定されており、前記装着部１３３には、前記カートリッジ１２の長辺を縦にして挿入できないように構成されている。
【００６５】
これにより、当該装置本体１１の前記後ケース７２から延出した前記コンセントプラグ１０２，１０２を壁面Ｗのコンセントに差し込んで使用する使用状態Ｕにおいて、前記装着部１３３に装着した前記カートリッジ１２の前記トレイ２１の底面３１を起立するとともに、前記各収容部３２，３３を横方向に配列して配置した状態で、当該カートリッジ１２を保持できるように前記装着部１３３が構成されている。
【００６６】
また、この使用状態Ｕにおいて、図７に示したように、加熱部を構成する前記中ケース７３の前記後面部１２３の下寄りに加熱源を構成する前記加熱板１１２が配置されるように構成されている。
【００６７】
このカートリッジ１２の前記蒸散面２２が面接する前記前面部１２１の図２中下側の部位には、図２に示したように、横方向に延在する波形の左放出口１５１，・・・及び右放出口１５２，・・・がそれぞれ三カ所に開設されており、前記各左放出口１５１，・・・と前記各右放出口１５２，・・・とは、上下に延在する区画面１５３によって隔てられている。
【００６８】
図１中左側に設けられた前記左放出口１５１，・・・は、前記カートリッジ１２を前記装着部１３３に装着した状態で、前記第一収容部３２の前側に配置されるように構成されており、図１中右側に設けられた前記右放出口１５２，・・・は、前記第二収容部３３の前側に配置されるように構成されている。
【００６９】
これにより、前記カートリッジ１２の前記第一収容部３２から蒸散された蒸散剤を前記左放出口１５１，・・・から外部へ放出できるように構成されており、前記第二収容部３３から蒸散された蒸散剤を前記右放出口１５２，・・・から外部へ放出できるように構成されている。
【００７０】
また、前記左右放出口１５１，・・・、１５２，・・・によって、前記各収容部３２，３３から蒸散された蒸散剤を放出する放出部が構成されており、前記左右放出口１５１，・・・、１５２，・・・からなる放出部は、前記前ケース７１の開口部を介して当該装置本体１１の前面に開口するとともに、前記コンセントプラグ１０２，１０２を壁面Ｗのコンセントに差し込んだ前記使用状態Ｕで、当該装置本体１１の前面側から前記蒸散剤を部屋の中心部へ向けて放出できるように構成されている。
【００７１】
なお、本実施の形態では、前記コンセントプラグ１０２，１０２を壁面Ｗのコンセントに差し込んだ前記使用状態Ｕにおいて、当該装置本体１１の後面が壁面Ｗに対面する構造上、前記左右放出口１５１，・・・、１５２，・・・を前記装置本体１１の前面に設けた場合を例に挙げて説明するが、これに限定されるものではなく、装置本体１１の後面が開放されている場合には、この後面に前記放出部を構成する前記左右放出口１５１，・・・、１５２，・・・を設けてても良い。
【００７２】
そして、前記前面部１２１の図２中下縁には、横方向に延在する波形の下部凹部１６１が凹設されており、前記前面部１２１の図２中上縁部には、横方向に延在する波形の上部波形開口部１６２が開口している。
【００７３】
この前面部１２１に対向した前記後面部１２３の内側面は、平坦面で構成されており、前記装着部１３３に前記カートリッジ１２を装着した状態で当該カートリッジ１２のトレイ２１の底面３１が当該後面部１２３に密着するように該後面部１２３と前記前面部１２１との間隔が設定されている。
【００７４】
この後面部１２３は、図６及び図７に示したように、前記電子基板１０１に設けられた加熱部として前記加熱板１１２に密着するように構成されており、前記後面部１２３は、前記加熱板１１２によって加熱され、その熱が全面に伝達されるように構成されている。
【００７５】
これにより、この後面部１２３を介して前記カートリッジ１２の前記底面３１を全体的に加熱できるように構成されており、前記カートリッジ１２を前記装着部１３３に装着した状態で、前記各収容部３２，３３に収容された蒸散剤を前記トレイ２１の底面３１側から加熱する加熱部が前記後面部１２３によって構成されている。
【００７６】
以上の構成にかかる本実施の形態において、前記装置本体１１に開設されたカートリッジ１２挿入用の挿入部１３２の開口方向は、図中右方に設定されており、当該挿入部１３２の開口領域５０１が前記ヒータ１１１の真上に位置するヒータ真上領域５０２に重ならない方向に設定されるとともに、横方向Ｓへ向いた横向き開口状態から下方向Ｌへ向いた下向き開口状態までの範囲内に設定されている。
【００７７】
このため、舞い上がって落ちてきた埃は、当該装置本体１１の上面に蓄積され、前記挿入部１３２からの内部への進入を防止することができる。
【００７８】
したがって、カートリッジ挿入用の挿入部が上方へ向けて開口する構造上、舞い上がって落ちてきた埃が上方開口状の挿入部からの内部へ進入し、ヒータ１１１に蓄積したり該ヒータ１１１等で構成された加熱部に蓄積するといった不具合を解消することができ、ヒータ１１１による加熱効率の低下や、加熱部による前記カートリッジ１２の加熱効率の低下を防止することができる。
【００７９】
これにより、埃の進入に起因した蒸散効率の低下を防止することができる。
【００８０】
このとき、前記カートリッジ１２から蒸散した蒸散剤を放出する前記各放出口１５１，・・・，１５２，・・・は、装置本体１１の前面に設けられている。このため、前記各放出口１５１，・・・、１５２，・・・から進入した埃が、前記ヒータ１１１に蓄積したり該ヒータ１１１等で構成された加熱部に蓄積するといった不具合を解消することができ、ヒータ１１１による加熱効率の低下や加熱部による前記カートリッジ１２の加熱効率の低下を防止することができる。
【００８１】
これにより、前記各放出口１５１，・・・，１５２，・・・から進入する埃に起因した不具合も防止することができる。
【００８２】
なお、本実施の形態では、前記装置本体１１の裏面にコンセントプラグ１０２，１０２が設けられた構造のため、前記各放出口１５１，・・・、１５２，・・・が前記装置本体１１の前面に設けられた場合について説明したが、前記各放出口１５１，・・・，１５２，・・・が前記装置本体１１の後面に設けた場合であっても、同様の効果を得ることができる。
【００８３】
また、この蒸散装置１は、コンセントから給電を受けて作動するコンセント給電タイプであり、使用時には、前記装置本体１１から延出したコンセントプラグ１０２，１０２が壁面Ｗに設けられたコンセントに差し込まれる。
【００８４】
このため、使用状態Ｕでは、前記装置本体１１を前記壁面Ｗに沿って配置することができ、テーブル等に載置する据え置きタイプと比較して、テーブル等への設置スペースが不要となる。
【００８５】
そして、前記コンセントプラグ１０２，１０２を前記壁面Ｗのコンセントに差し込んだ前記使用状態Ｕでは、前記挿入部１３２の開口方向を前記コンセントプラグ１０２，１０２に基づいて定めることができる。
【００８６】
このため、前記コンセントプラグ１０２，１０２を前記壁面Ｗのコンセントに差し込むだけで、前記挿入部１３２の開口方向を設計時の方向へ向けることができ、上方へ向けた開口を確実に防止することができる。
【００８７】
さらに、本実施の形態の蒸散装置１にあっては、前記装置本体１１より延出した前記コンセントプラグ１０２，１０２を壁面Ｗのコンセントに差し込んで使用する使用状態Ｕにおいて、前記挿入部１３２を横方向へ向けて開口させることができる。
【００８８】
このため、前記挿入部１３２が下方Ｌへ向けて開口する場合と比較して、前記挿入部１３２に挿入された前記カートリッジ１２の落下を防止する構造を特別に設けること無く、当該カートリッジ１２の不用意な離脱を防止することができる。
【図面の簡単な説明】
【００８９】
【図１】本発明の一実施の形態を示す斜視図である。
【図２】同実施の形態の分解斜視図である。
【図３】同実施の形態のカートリッジを底面側から見た状態を示す斜視図である。
【図４】同実施の形態のカートリッジを示す底面図である。
【図５】同実施の形態のカートリッジを示す側面図である。
【図６】同実施の形態の要部を示す横断面図である。
【図７】同実施の形態の要部を示す縦断面図である。
【図８】同実施の形態の裏ケースを示す斜視図である。
【図９】同実施の形態の蒸散装置の使用状態を示す平面図である。
【図１０】同実施の形態の挿入部の開口方向を示す説明図である。
【符号の説明】
【００９０】
１    蒸散装置
１１    装置本体
１２    カートリッジ
７１    前ケース
７２    後ケース
７３    中ケース
１０２    コンセントプラグ
１２３    後面部
１３２    挿入部
１３３    装着部
１５１    左放出口
１５２    右放出口
５０１    開口領域
５０２    ヒータ真上領域
Ｌ    下方向
Ｓ    横方向
Ｕ    使用状態
Ｗ    壁面
【図１】
0004917006.tif 000002
【図２】
0004917006.tif 000003
【図３】
0004917006.tif 000004
【図４】
0004917006.tif 000005
【図５】
0004917006.tif 000006
【図６】
0004917006.tif 000007
【図７】
0004917006.tif 000008
【図８】
0004917006.tif 000009
【図９】
0004917006.tif 000010
【図１０】
0004917006.tif 000011